(57)【要約】【課題】  船の移動にともなって時差が変化するため親時計の時刻を変更するが、一気に時刻を変更すると船員の生活に支障を及ぼすため毎日手動で徐々に時刻を切り換える必要があった。子時計が一定時間おきにＮＴＰサーバへ時刻を要求して時刻を取得するため、親時計の時刻を変更しても子時計の時刻が追従するまでに時間を要する。このようなシステムを船舶で使用するのは実用的ではない。【解決手段】  親時計はＧＰＳ受信手段で受信したＧＰＳ衛星からの正確な時刻により計時手段を正確な時刻に修正し、船の移動による時差の変更で時刻変更が必要になった場合、入力手段から変更を行う時間値を入力し、入力された時間値の分だけ計時手段の時刻を変更し子時計に向け一斉送信する制御を行う。子時計は計時手段で時刻を保持し、表示手段で計時手段の時刻を表示する。【選択図】  図１
2009250846.tif 000002
【特許請求の範囲】
【請求項１】
船内時刻の計時を行う計時手段と、
ＧＰＳ衛星から時刻情報を受信し該計時手段の船内時刻を修正するＧＰＳ受信手段と、
船内時刻の変更時間値の入力により前記計時手段の時刻を変更時間値にずらして時刻送信信号を出力する入力手段と、
ローカルエリアネットワークにて時刻要求信号を受信し送信元に向けて前記計時手段の時刻情報を送信する送受信手段と、
他の機器との識別番号を設定する機器番号設定手段と、
前記送受信手段の受信した時刻要求信号が該機器番号設定手段の識別番号宛かを判定し送信元に向けて時刻情報を返信する送受信制御手段と、
を備えた親時計と、
該親時計の前記送受信手段とローカルエリアネットワークで接続され時刻要求信号を送信し時刻情報を受信する送受信手段と、
時刻の計時を行う計時手段と、
該計時手段の時刻を表示する表示手段と、
他の機器との識別番号と前記親時計の識別番号を設定する機器番号設定手段と、
定期的に前記送受信手段より該機器番号設定手段の識別番号と前記親時計の識別番号を含めた時刻要求信号を送信し前記親時計からの時刻情報を受信する制御を行う時刻送受信制御手段と、
該時刻送受信制御手段が時刻情報を受信したら時刻情報に基づき計時手段の時刻を変更する時刻変更手段と、
を備えた複数の子時計を設け、
前記送受信制御手段は前記入力手段が時刻送信信号を出力したら前記親時計の前記送受信手段から全ての前記子時計に向けて時刻情報を送信する制御を行うことを特徴とする船舶用親子時計システム
【請求項２】
船内時刻の計時を行う計時手段と、
ＧＰＳ衛星から時刻情報を受信し該計時手段の船内時刻を修正するＧＰＳ受信手段と、
船内時刻の変更時刻と変更時間値と総変更時間値を入力する入力手段と、
前記計時手段の時刻が該入力手段の変更時刻になったら変更時間値に前記計時手段の時刻をずらして時刻送信信号を出力することを変更時間値の合計が総変更時間値に達するまで行う時刻切替日程制御手段と、
ローカルエリアネットワークにて時刻要求信号を受信し送信元に向けて前記計時手段の時刻情報を送信する送受信手段と、
他の機器との識別番号を設定する機器番号設定手段と、
前記送受信手段の受信した時刻要求信号が該機器番号設定手段の識別番号宛かを判定し送信元に向けて時刻情報を返信する送受信制御手段と、
を備えた親時計と、
該親時計の前記送受信手段とローカルエリアネットワークで接続され時刻要求信号を送信し時刻情報を受信する送受信手段と、
時刻の計時を行う計時手段と、
該計時手段の時刻を表示する表示手段と、
他の機器との識別番号と前記親時計の識別番号を設定する機器番号設定手段と、
定期的に前記送受信手段より該機器番号設定手段の識別番号と前記親時計の識別番号を含めた時刻要求信号を送信し前記親時計からの時刻情報を受信する制御を行う時刻送受信制御手段と、
該時刻送受信制御手段が時刻情報を受信したら時刻情報に基づき計時手段の時刻を変更する時刻変更手段と、
を備えた複数の子時計を設け、
前記送受信制御手段は前記時刻切替日程制御手段が時刻送信信号を出力したら前記親時計の前記送受信手段から全ての前記子時計に向けて時刻情報を送信することを特徴とする船舶用親子時計システム
【発明の詳細な説明】
【技術分野】
【０００１】
本発明は、船舶の船内に設置される親子式時計システムに関する。ＧＰＳ衛星からの正確な時刻で修正される親時計と、親時計から有線で時刻の同期を行う子時計とのシステムに関する。
【背景技術】
【０００２】
ＧＰＳ衛星から高精度な時刻情報を取得し保持している親時計があり、この親時計と船室などに設置された子時計とを専用線で結び、親時計から子時計に駆動信号を送信して直接子時計の針を動かすシステムが知られている。このシステムは親時計から直接子時計を駆動するためシステムの構成が簡単であるというメリットがある。船舶は主に海上を移動するため時差の変化に伴って各船室の子時計を修正する必要があるが、親時計の時刻を手動で切り換えることで子時計の時刻を自動的に追従させ修正している。また、イーサネット（登録商標）をはじめとするローカルエリアネットワーク（ＬＡＮ）の通信方式の１つであるネットワークタイムプロトコル（ＮＴＰ）を用い、ＮＴＰサーバより時刻を取得して時刻を同期する時計システムが知られている。このシステムは様々な機器が１つのＬＡＮを共有できるため、機器ごとに専用線を配線しなくて済むというメリットがある。
【発明の開示】
【発明が解決しようとする課題】
【０００３】
親時計と子時計を専用線で結び、親時計から子時計に駆動信号を送信する方式では専用線を配線する必要があるため、配線コストが高くなる欠点があった。船の移動にともなって時差が変化するため親時計の時刻を変更するが、一気に時刻を変更すると船員の生活に支障を及ぼすため毎日１０分から１５分単位で徐々に変化させている。そのため毎日手動で時刻を切り換える必要があり煩わしい。ＬＡＮを用い、親時計にＮＴＰサーバの機能を持たせ子時計がＮＴＰサーバと同期させる方式は、配線が他のＬＡＮ対応機器と共通にできるため配線コストを下げられるメリットがあるが、子時計が一定時間おきにＮＴＰサーバへ時刻を要求して時刻を取得するため、親時計の時刻を変更しても子時計の時刻が追従するまでに時間を要する。このようなシステムを船舶で使用するのは実用的ではない。
【課題を解決するための手段】
【０００４】
第１の船舶用親子時計システムの説明である。親時計はＧＰＳ受信手段で受信したＧＰＳ衛星からの正確な時刻により計時手段を正確な時刻に修正し計時手段で保持する。船の移動による時差の変更で時刻変更が必要になった場合、入力手段から変更を行う時間値を入力し、時刻変更手段は入力された時間値の分だけ計時手段の時刻を変更し一斉送信信号を出力する。あらかじめ親時計のアドレスを親アドレス設定手段に設定し、送受信制御手段は送受信手段より子時計から受信した時刻要求データが親アドレス設定手段の番号に向けて送られたものであれば、送られてきた子時計のアドレスに向けて受信時刻と返信時刻を時刻要求データに加えて送受信手段より返信し、時刻変更手段から一斉送信信号を入力したら計時手段の時刻データをすべての子時計に向け一斉送信する制御を行う。親時計は以上から構成される。
【０００５】
また、子時計は計時手段で時刻を保持し、表示手段で計時手段の時刻を表示する。自らのアドレスと親時計のアドレスをあらかじめアドレス設定手段に設定する。送受信手段は親時計の送受信手段とデータの送受信を行う。時刻送受信制御手段は送受信手段を用いて送信する際の時刻及び親時計と自らのアドレスを載せた時刻要求データを定期的に送信し、親時計から送られてきたデータを時刻変更手段に出力する。時刻変更手段は自らのアドレスまたはすべての子時計への返信データならば親時計から送られてきたデータに基づき計時手段の時刻を修正する。
【０００６】
第２の実施例では、第１の船舶用親子時計システムの親時計に時刻切替日程制御手段を設け、入力手段へは１回で変更する時間値と変更時刻と総変更時間値を入力し、時刻切替日程制御手段は変更した時間幅の合計が総変更時間値になるまで変更時刻に計時時刻を入力された時間値ずつ変更する。
【発明の効果】
【０００７】
本発明の船舶用親子時計システムによれば、親時計と各子時計間と他の機器とを共通の配線にでき、配線コストを安価にすることができ、ＬＡＮを船舶用親子時計システムで使用する際に問題となる親時計の時刻変更から子時計の時刻が追従するまでに要していた遅延時間をなくすことができる。さらに、毎日手動で時刻を切り換えていた作業を自動で行うことが可能になり、作業者の負担を軽減することができる。
【発明を実施するための最良の形態】
【０００８】
図１は、本発明の第１の船舶用親子時計システムの実施例を示すブロック図である。親時計１は、計時手段４により現在時刻をカウントして保持する。水晶発振回路などを計時の基準とする関係で累積的に時刻がずれるため、ＧＰＳ衛星２からの正確な時刻情報をＧＰＳ受信手段３で受信し計時手段４で保持されている時刻を常に正確な時刻に修正する。ＧＰＳ衛星２からの時刻情報はＧＰＳ固有の時刻であるため船内の時刻と異なるが、ＧＰＳ受信手段３で時刻の変換を行う。送受信手段５は子時計９とローカルエリアネットワーク（ＬＡＮ）１６を介して時刻データの通信を行う。ＬＡＮの規格は広く普及しているイーサネット（登録商標）方式を利用する。また、イーサネット（登録商標）上のデータ通信にはユーザデータグラムプロトコル（ＵＤＰ）及びインターネットプロトコル（ＩＰ）を用いる。イーサネット（登録商標）の規格やＵＤＰなどの標準プロトコルは広く知られている技術であるため詳細の説明は省略する。
【０００９】
機器番号設定手段８はＩＰで使用する親時計のＩＰアドレスを設定する。子時計９からの時刻要求データを送受信手段５で受信したら送受信制御手段７は受信した時刻と返信する際の時刻を計時手段より取得して時刻データを送受信手段５より返信する。返信の際にはＵＤＰとＩＰを付加する。ＩＰには送信先の子時計のＩＰアドレスと機器番号設定手段８のＩＰアドレスを付加する。なお、子時計からの時刻要求データと時刻データの返信にはネットワークタイムプロトコル（ＮＴＰ）を用いる。ＮＴＰも標準的に使用されているプロトコルであるため説明は省略する。
【００１０】
船舶は主に海上を移動するため長距離航海に伴い時差の修正を行うが、時差の修正は１回で一気に修正すると船員の生活に支障を来すため毎日１０分から１５分の単位で行っている。入力手段６は１回の変更で変更する時間値を入力する。入力手段６は押しボタンスイッチやロータリースイッチで変更時刻を設定するが、設定しやすくするため液晶ディスプレイなどで変更内容を表示するとよい。時間値は＋１０分や−１５分などの差分の値であるが変更後の時刻を入力する方法であってもよい。
計時手段４で保持している時刻は入力手段６の入力で時刻が変更されると共に入力手段６は送受信制御手段７に時刻送信信号を送る。送受信制御手段７は時刻送信信号を入力したら変更後の計時手段４の時刻データを送受信手段から全ての子時計に向けて送信する。送信はブロードキャストの方式により行う。ブロードキャストは送信先ＩＰアドレスのホストアドレス部の全てのビットを１にして送信することで識別する。なお、ブロードキャストで送る場合にもＮＴＰを用いて送信するが、ＮＴＰは時刻データの整数部が２進数の秒単位である一方で時刻変更は分単位で行われるため便宜上専用プロトコルを用意してもよい。
【００１１】
子時計９の計時手段１１は子時計の時刻をカウントして保持している。表示手段１２は計時手段１１の時刻を表示する。時刻の表示には７セグメントＬＥＤで表示する。機器番号設定手段１５は各子時計を識別するための送信元ＩＰアドレスと送信先である親時計１のＩＰアドレスを設定する。送受信手段１０はＬＡＮ１６を介して親時計１と時刻データの通信を行う。時刻送受信制御手段１３はＮＴＰに計時手段１１の時刻を記して親時計1に送受信手段１０から送信する。送信に際してＵＤＰと機器番号設定手段１５の送信元と親時計１のＩＰアドレスを記したＩＰを付加する。時刻送受信制御手段１３は親時計１から返信されたＮＴＰデータを時刻変更手段１４に送る。時刻変更手段１４は時刻送受信制御手段１３からのＮＴＰデータからネットワークの遅延時間を考慮して現在時刻を算出し計時手段１１の時刻を修正する。時刻要求は計時手段１１の時刻精度を考慮して数時間おきに行う。また、親時計１での時刻変更によりブロードキャストで各子時計９へ変更後のデータが送られてくるが、送受信制御手段は送受信手段１０より受信したデータは時刻送受信制御手段１３でブロードキャストであると判定して時刻変更手段１４へ送り、時刻変更手段１４は計時手段１１の時刻を変更する。
【００１２】
図２は、本発明の第２の船舶用親子時計システムの実施例を示すブロック図である。図１で示した第１の実施例と異なる部分を説明する。入力手段６は１回に変更する時間値の他に時刻変更を行う時刻と総変更時間を入力し、時刻切替日程制御手段２１は計時手段の時刻が入力手段６で入力された変更時刻になったら１回に変更する時間の分だけ計時手段４の時刻を変更し、送受信制御手段７へ時刻送信信号を送る。送受信制御手段７は時刻送信信号受け、変更後の計時手段４の時刻データを送受信手段から全ての子時計に向けて送信する。時刻切替日程制御手段２１は時刻変更の合計が入力手段６で入力した総変更時間に達するまで行う。時間値は第1の実施例と同様に＋１０分などの差分値であるが、毎日の変更後の時刻を入力してそのスケジュールに従って時刻を変更してもよい。
【産業上の利用可能性】
【００１３】
上記の発明は、船舶の船内に設置する親子時システムに使用する。船内機器の配線をＬＡＮで共用化し、共通配線に親子時計システムを接続し、航海による時差変更で時刻変更が必要になる船舶に利用できる。
【図面の簡単な説明】
【００１４】
【図１】図１は、本発明の第１の船舶用親子時計システムの実施例を示すブロック図である。
【図２】図２は、本発明の第２の船舶用親子時計システムの実施例を示すブロック図である。
【符号の説明】
【００１５】
１  親時計
２  ＧＰＳアンテナ
３  ＧＰＳ受信手段
４、１１  計時手段
５、１０  送受信手段
６  入力手段
７  送受信制御手段
８  聞き番号設定手段
９  子時計
１３  時刻送受信制御手段
１４  時刻変更手段
１５  機器番号設定手段  
１６  ローカルエリアネットワーク（ＬＡＮ）
【図１】
2009250846.tif 000003
【図２】
2009250846.tif 000004